【手続補正書】
【提出日】平成18年6月16日(2006.6.16)
【手続補正１】
【補正対象書類名】明細書
【補正対象項目名】特許請求の範囲
【補正方法】変更
【補正の内容】
【特許請求の範囲】
【請求項１】  第１電極を形成した絶縁性の第１基板と、第２電極を形成した絶縁性の第２基板とが、当該第１電極と当該第２電極とを対向させた状態で配置されたバイオセンサであって、
前記第１電極には第１リードが接続され、前記第２電極には第２リードが接続され、
前記第１基板は、前記第２基板の長手方向の端部に対応する位置から当該第１基板の長手方向に延出し、かつ前記第１リードの少なくとも一部を外部に露出している第１延出部を具備し、
前記第２基板は、前記第１基板の短手方向の端部に対応する位置から当該第２基板の短手方向に延出し、かつ前記第２リードの少なくとも一部を外部に露出している第２延出部を具備することを特徴とするバイオセンサ。
【請求項２】  前記第２延出部が、前記第１基板の前記短手方向の端部であって前記第２基板の長手方向に向かって右側の端部に対応する位置から前記第２基板の短手方向に延出している延出部と、
前記第１基板の前記短手方向の端部であって前記第２基板の長手方向に向かって左側の端部に対応する位置から前記第２基板の短手方向に延出している延出部とを具備することを特徴とする請求項１記載のバイオセンサ。
【請求項３】  前記第１電極と前記第２電極とに接するように試料液を供給する試料液供給路と、前記試料液供給路を介して供給される試料液に含まれる複数の基質のうちの少なくとも１つの固有の基質に反応する試薬とを備え、
前記第１基板および前記第２基板の形状が共通部分と非共通部分とを有し、前記非共通部分の形状が前記固有の基質に対応した固有形状であり、
前記第１基板の形状における前記非共通部分が前記第１延出部であり、前記第２基板の形状における前記非共通部分が前記第２延出部であることを特徴とする請求項１記載のバイオセンサ。
【請求項４】  前記第２基板における前記第２延出部の前記固有位置が、前記固有の基質に対応して前記第２基板の長手方向に向かって左側の位置または右側の位置のいずれか一方の位置であることを特徴とする請求項３記載のバイオセンサ。
【請求項５】  前記複数の基質が、それぞれグルコースおよび乳酸であることを特徴とする請求項３記載のバイオセンサ。
【請求項６】  請求項３記載のバイオセンサを装着するセンサ装着部を備え、前記バイオセンサが前記センサ装着部に装着された時に前記第１基板または前記第２基板の前記非共通部分に対応する前記センサ装着部内位置によって、前記バイオセンサの前記固有の基質を判別することを特徴とするバイオセンサ用測定装置。
【請求項７】  前記センサ装着部は、前記バイオセンサを嵌合する統合嵌合部を具備し、前記統合嵌合部は、前記第１基板および前記第２基板の前記形状の前記共通部分に対応する第１領域と、前記非共通部分に対応する第２領域とを具備することを特徴とする請求項６記載のバイオセンサ用測定装置。
【請求項８】  前記統合嵌合部の前記第１領域に接するように配置されている１つの第１電気接続端子と、前記統合嵌合部の前記第２領域にそれぞれ接するように配置されている複数の第２電気接続端子とを備え、
前記バイオセンサを前記統合嵌合部に嵌合した状態で、当該バイオセンサの前記第１リードおよび前記第２リードの一方を前記第１電気接続端子に接続し、他方のリードを前記複数の第２電気接続端子の１つに接続し、当該接続された第２電気接続端子により、前記統合嵌合部に嵌合した当該バイオセンサを判別することを特徴とする請求項７記載のバイオセンサ用測定装置。
【請求項９】  互いに対向して配置されている第１基板および第２基板を具備するバイオセンサを装着するセンサ装着部を備えたバイオセンサ用測定装置であって、
前記センサ装着部は、前記バイオセンサの前記第１基板に対応する第１センサ装着部分と、前記バイオセンサの前記第２基板に対応する第２センサ装着部分とを具備し、当該第１センサ装着部分の入口の幅と、当該第２センサ装着部分の入口の幅とが異なることを特徴とするバイオセンサ用測定装置。
【請求項１０】  前記センサ装着部に装着されるバイオセンサにおいては、
第１電極および当該第１電極に接続された第１リードを形成した絶縁性の前記第１基板と、第２電極および当該第２電極に接続された第２リードを形成した絶縁性の前記第２基板とが、当該第１電極と当該第２電極とを対向させた状態で配置されており、
前記第１基板は、前記第２基板の長手方向の端部に対応する位置から当該第１基板の長手方向に延出し、かつ前記第１リードの少なくとも一部を外部に露出している第１延出部を具備し、
前記第２基板は、前記第１基板の短手方向の端部に対応する位置から当該第２基板の短手方向に延出し、かつ前記第２リードの少なくとも一部を外部に露出している第２延出部を具備することを特徴とする請求項９記載のバイオセンサ用測定装置。
【請求項１１】  前記センサ装着部に前記バイオセンサを装着した状態で、前記第１延出部に露出した前記第１リードに接続される第１電気接続端子および前記第２延出部に露出した前記第２リードに接続される第２電気接続端子と、
前記第１電気接続端子および前記第２電気接続端子に電気的に接続されており、当該第１電気接続端子および当該第２電気接続端子を介して前記第１電極および前記第２電極に電圧を印加する駆動電源とを備えることを特徴とする請求項１０に記載のバイオセンサ用測定装置。
【請求項１２】  前記バイオセンサの前記第１電極と前記第２電極とに接するように供給される試料液に含まれる基質を測定するために、
前記バイオセンサの前記第１電極および前記第２電極に流れる電流に基づいて演算処理を行う信号処理部と、
前記信号処理部による演算処理の算出値を外部に出力する出力部とを備え、
前記信号処理部による前記演算処理により前記基質の量を算出し、前記算出値を前記出力部に出力することを特徴とする請求項１１記載のバイオセンサ用測定装置。
【請求項１３】  前記バイオセンサの前記第２延出部と当接することにより、前記センサ装着部に装着された前記バイオセンサを前記センサ装着部の外へ排出するための排出部材をさらに具備することを特徴とする請求項１０記載のバイオセンサ用測定装置。
【手続補正２】
【補正対象書類名】明細書
【補正対象項目名】００１０
【補正方法】変更
【補正の内容】
【００１０】
前記第２延出部が、前記第１基板の前記短手方向の端部であって前記第２基板の長手方向に向かって右側の端部に対応する位置から前記第２基板の短手方向に延出している延出部と、前記第１基板の前記短手方向の端部であって前記第２基板の長手方向に向かって左側の端部に対応する位置から前記第２基板の短手方向に延出している延出部とを具備するバイオセンサ構成にしてもよい。この構成を有するバイオセンサは、第２基板の両短手方向に延出部を有することにより、バイオセンサの長手方向の中心線の両側での機械的バランスをとりやすい。
【手続補正３】
【補正対象書類名】明細書
【補正対象項目名】００１１
【補正方法】変更
【補正の内容】
【００１１】
第１電極と第２電極とに接するように試料液を供給する試料液供給路と、前記試料液供給路を介して供給される試料液に含まれる複数の基質のうちの少なくとも１つの固有の基質に反応する試薬とを備え、前記第１基板および前記第２基板の形状が共通部分と非共通部分とを有し、前記非共通部分の形状が前記固有の基質に対応した固有形状であり、前記第１基板の形状における前記非共通部分が前記第１延出部であり、前記第２基板の形状における前記非共通部分が前記第２延出部であるバイオセンサ構成にしてもよい。この構成により、バイオセンサを対象とする基質に簡便に対応させることができる。
【手続補正４】
【補正対象書類名】明細書
【補正対象項目名】００１２
【補正方法】変更
【補正の内容】
【００１２】
前記第１基板における前記第１延出部の位置、または前記第２基板における前記第２延出部の位置を、前記固有の基質に対応した固有位置とすることにより、前記第１基板または前記第２基板の形状が共通部分と非共通部分とを有するバイオセンサ構成にしてもよい。例えば、前記第２基板における前記第２延出部の前記固有位置が、前記固有の基質に対応して前記第２基板の長手方向に向かって左側の位置または右側の位置のいずれか一方の位置となるように構成してもよい。このような構成により、バイオセンサを対象とする基質に簡便に対応させることができる。
ここで、前記複数の基質をそれぞれグルコースおよび乳酸としてもよい。これにより、バイオセンサを、ユーザからの要望が最も大きいグルコースと乳酸とに簡便に対応させることができる。
【手続補正５】
【補正対象書類名】明細書
【補正対象項目名】００１６
【補正方法】変更
【補正の内容】
【００１６】
本発明の第２の態様のバイオセンサ用測定装置は、互いに対向して配置されている第１基板および第２基板を具備するバイオセンサを装着するセンサ装着部を備えたバイオセンサ用測定装置であって、前記センサ装着部は、前記バイオセンサの前記第１基板に対応する第１センサ装着部分と、前記バイオセンサの前記第２基板に対応する第２センサ装着部分とを具備し、当該第１センサ装着部分の入口の幅と、当該第２センサ装着部分の入口の幅とが異なるように構成されている。
この構成により、ユーザがバイオセンサを当該バイオセンサ用測定装置へ誤挿入することを防止できる。